(57)【要約】 【課題】  冷凍室と外気との間の断熱性を高める。【解決手段】  本体１０の天面１０ａにはスライド扉３１を備えた出入口３０が設けられる。出入口３０の下方には、周囲が断熱壁４３，４３ａで囲まれるとともに、貫通孔５４を設けた底板５３が張られることで、冷凍室１１から仕切られた自然対流室６０が構成される。自然対流室６０の下方には、周面に適宜に通気孔が設けられた上下面開放の蓄冷ボックス４５が設けられ、その少し下方に棚板５６が張られる。アイスクリームを収容したアイスコート缶Ａは、出入口３０から自然対流室６０の底板５３の貫通孔５４を通り、蓄冷ボックス４５内に落とし込まれて棚板５６で受けられる。アイスコート缶Ａは、下部側の大半が冷凍室１１内に突入し、上面が自然対流室６０の底部内に臨んだ状態で支持される。アイスコート缶Ａを適正に冷却しつつ、自然対流室６０が断熱機能を発揮する。【選択図】  図６
2005195188.tif 000002
【特許請求の範囲】
【請求項１】
断熱箱体からなる本体内には、冷凍装置で生成された冷気が強制対流される冷却室が形成されるとともに、前記本体の天面には開閉扉付きの出入口が形成され、この出入口を通して保冷容器が前記冷却室内に収容されて冷却保存される保冷庫において、
前記出入口の下方には、前記冷却室との間で仕切られた自然対流室が沈み込んで形成され、前記保冷容器は、その上面側を前記自然対流室に臨ませつつ、この自然対流室の底面を貫通して前記冷却室に突入した状態で支持されていることを特徴とする保冷庫。
【請求項２】
前記自然対流室の周壁が断熱構造とされていることを特徴とする請求項１記載の保冷庫。
【請求項３】
前記冷却室に設けられた冷気の吹出口の近傍には、吹き出された冷気を、前記保冷容器における前記冷却室内に突出した部分に向けて案内する案内板が配設されていることを特徴とする請求項１または請求項２記載の保冷庫。
【発明の詳細な説明】
【技術分野】
【０００１】
本発明は、アイスクリーム保冷庫等の保冷庫に関する。
【背景技術】
【０００２】
アイスクリーム保冷庫は、アイスクリームを保冷し、かつアイスクリームのトッピングを行うことを目的として、レストランの厨房等に設置されるものであり、従来その一例として、図１２に示したものが知られている。このものは、テーブル型冷凍庫をベースとして形成されており、断熱箱体からなる横長の本体１内が冷凍室２とされて、冷凍室２の側方に設けられた蒸発器室内で生成された冷気が吹出口３から吹き出されて吸込口４から吸い込まれるといったように、冷凍室２内に強制対流されて同室２内が冷却されるとともに、本体１の天面にはスライド扉５付きの出入口６が設けられ、天面における出入口６の側方がトッピングを行う作業台とされている。
【０００３】
アイスクリームは、上面開口で蓋付きの容器ａ内に詰められ、棚網７で受けられて冷凍室２内に収容されており、商品を調製する場合は、スライド扉５を開けたのち、蓋を開けて容器ａ内からアイスクリームを必要量だけ取り出して皿等に載せ、作業台を利用してトッピングを施した後、客に提供されるようになっている。  
なお、この種の天面の開口部側から保冷容器を収容して保冷する型式の保冷庫は、特許文献１等に記載されている。
【特許文献１】特開２００３−３０２１５６公報
【発明の開示】
【発明が解決しようとする課題】
【０００４】
ところで上記図１２の構造のものでは、冷凍室２と外気との仕切りがスライド扉５であり、このスライド扉５も断熱構造ではあるものの、開閉の操作性を考慮して軽量とする必要がある等の理由で、比較的薄手に形成せざるを得ない事情がある。そのため、十分な断熱性が得られなくて随時冷気が逃げやすく、冷却効率が悪くてランニングコストが高くついたり、またアイスクリームを取り出すべくスライド扉５を開けた際は、多量の外気が冷凍室２内に流入して、容器ａ内のアイスクリームに熱的悪影響を与える不具合があった。さらに、冷気がスライド扉５に直接触れるために、例えばスライド扉５のレール部分が凍り付いて開け辛くなる等、未だ種々の問題点を抱えており、さらなる改良が切望されていた。  
本発明は上記のような事情に基づいて完成されたものである。
【課題を解決するための手段】
【０００５】
請求項１の発明は、断熱箱体からなる本体内には、冷凍装置で生成された冷気が強制対流される冷却室が形成されるとともに、前記本体の天面には開閉扉付きの出入口が形成され、この出入口を通して保冷容器が前記冷却室内に収容されて冷却保存される保冷庫において、前記出入口の下方には、前記冷却室との間で仕切られた自然対流室が沈み込んで形成され、前記保冷容器は、その上面側を前記自然対流室に臨ませつつ、この自然対流室の底面を貫通して前記冷却室に突入した状態で支持されている構成としたところに特徴を有する。
【０００６】
請求項２の発明は、請求項１に記載のものにおいて、前記自然対流室の周壁が断熱構造とされているところに特徴を有する。  
請求項３の発明は、請求項１または請求項２に記載のものにおいて、前記冷却室に設けられた冷気の吹出口の近傍には、吹き出された冷気を、前記保冷容器における前記冷却室内に突出した部分に向けて案内する案内板が配設されているところに特徴を有する。
【発明の効果】
【０００７】
＜請求項１の発明＞
保冷容器は、自然対流室の底面を貫通して大部分を冷却室内に突入させた状態で支持され、保冷容器内の内容物が冷却保存される。内容物は、出入口の開閉扉を開けたのち、自然対流室に臨んだ上面側から取り出される。  
本発明では、以下のような種々の効果を得ることができる。出入口と冷却室との間に、言わば緩衝領域として自然対流室が設けられているから、冷却室で強制対流されている冷気が出入口から洩れることが無くなる。その結果、冷却室内が効率良く冷却でき、冷凍装置（圧縮機）の運転率を減少できて、ランニングコストの低減を図ることができるとともに、冷凍装置の耐久性も向上させることができる。もちろん、保冷容器の大部分が冷却室内に突入しているのであるから、内容物を適正温度に保冷でき、したがって品質も保証される。
【０００８】
また、内容物を取り出すべく開閉扉を開けたときにも、自然対流室があるために、冷却室への外気の熱的影響は小さく留められる。したがって、繁忙時間帯のように扉を頻繁に開閉したり、長時間開け放しとしても、内容物を高品質に維持することができる。  
さらに、強制対流される冷気が扉に直接触れないから、凍結のおそれが無くて、扉のスムーズな開閉が保証され、また破損を招くことも防がれる。それに付随して凍結防止用にヒータを設けることが不要にできるから、このこともランニングコストの低減に有利となる。
【０００９】
＜請求項２の発明＞
冷却室と自然対流室との間の断熱性がさらに高められることから、冷却室内の冷却効率がより高められる。また、開閉扉を開いた場合の冷却室への外気の熱的影響も、より小さく留めることが可能となる。  
＜請求項３の発明＞
吹出口から吹き出された冷気が、保冷容器における冷却室内に突入した部分に案内されて当てられ、さらに効率良く保冷することができる。
【発明を実施するための最良の形態】
【００１０】
以下、本発明の一実施形態を図１ないし図１１に基づいて説明する。この実施形態では、アイスクリームの保冷並びにトッピング作業を行う保冷庫を例示している。  
まず全体構造を説明すると、図１及び図２において、符号１０は保冷庫本体であって、前面が開口された横長の断熱箱体により形成され、内部が冷凍室１１となっており、下面の四隅に設けられた脚１２で支持されている。冷凍室１１の前面の出入口１３には、一対の断熱扉１４が観音開き式に装着されている。  
本体１０の正面から見た左側には機械室１５が設けられており、この機械室１５内の上部位置には、奥側に寄った位置において蒸発器室１７が本体１０内と連通して膨出形成され、その中に蒸発器１８と庫内ファン１９とが収納されている。一方、機械室１５内の下部側には、圧縮機２１、凝縮器２２等を有する冷凍ユニット２０が収納され、蒸発器１８と冷媒配管により接続されている。
【００１１】
そして、冷凍ユニット２０（圧縮機２１）並びに庫内ファン１９が駆動されると、図６に示すように、冷凍室１１の左側面の中央高さ位置あるいは下部側に設けられた吸込口２４から庫内空気が吸引されて、蒸発器１８を通過する間に熱交換されて冷気が生成され、この冷気が同側面の上部位置の吹出口２５から吹き出されて冷凍室１１内に強制対流される。一方、冷凍室１１内に設けられた温度センサ（図示せず）により冷凍室１１の温度が検知され、この検知温度に基づいて圧縮機２１と庫内ファン１９の運転がオンオフ制御されることで、冷凍室１１内が例えば「−１５℃」程度に冷却保持されるようになっている。
【００１２】
上記した本体１０から機械室１５にわたり、一枚板からなる天板２７が張られている。本体１０の天面１０ａでは、手前側でかつ右側の大半の領域において、天面１０ａ側の出入口３０が形成されており、詳しくは後記するように、この出入口３０の下方に自然対流室６０が形成され、アイスクリームを入れた容器Ａ（以下、アイスコート缶Ａという）が収容されるようになっている。天面１０ａの出入口３０にはスライド扉３１が装着されており、図２に示す閉鎖位置と図３に示す開放位置との間でスライド可能となっている。
【００１３】
天板２７上の奥側の領域では、ほぼ全幅にわたってねたケース３３が設置されている。このねたケース３３は、ケース本体３４内に収容溝３５が形成された構造であるが、図８に示すように、溝底が手前側の方が低くなるように傾斜しており、それに倣ってケース本体１０の上面も、手前側が低くなるように傾斜している。収容溝３５内には、複数の小型のホテルパンＣが並んで収容可能とされ、各ホテルパンＣ内には、トッピング用の各種食材等が仕分けして収容されるようになっている。収容溝３５の溝底並びに上面が手前に下がった斜め姿勢であるために、ホテルパンＣ内が正面から見やすくなっている。  
一方、天板２７上における出入口３０の左側の領域が、アイスクリームにトッピングを施すための作業台３７となっている。
【００１４】
続いて、アイスコート缶Ａの収容部分の構造を詳細に説明する。  
アイスコート缶Ａは合成樹脂製であって、図８及び図１０に示すように、下面側が少し窄んだ上面開放でやや縦長の箱形に形成され、上面開口には同じく合成樹脂製の蓋Ｂが被せられている。  
本体１０の天面１０ａの出入口３０は、図７に示すように、奥行方向の手前側（同図の左側）の位置に開口されており、冷気の吹出口２５は、冷凍室１１の左側壁の上部で、かつ奥側寄りに形成されている。
【００１５】
天板２７には、上記した出入口３０よりも若干幅広の窓孔２８が、出入口３０の前縁よりも少し手前の位置から、この天板２７の奥縁よりも少し手前の位置にわたって開口されており、出入口３０の左右の側縁にはレール４０が装着されている。一方、この出入口３０を開閉するスライド扉３１が備えられ、このスライド扉３１は断熱構造ではあるが、操作性を重視すべく軽量とする等のために、天板２７とほぼ同じといった比較的薄手に形成されており、手前の端部に取手４１が立ち上がり形成されている。そしてスライド扉３１は、上記したレール４０に沿い、閉鎖位置（図２、図６）と、開放位置（図３、図８）との間でスライド可能となっている。
【００１６】
天面１０ａの出入口３０における下側の口縁には、全周にわたって断熱壁４３が形成されている。この断熱壁４３は、金属製の箱体内に断熱材が充填され構造であって、４個が各辺に沿って配されている。図７に示すように、断熱壁４３の高さ（深さ）は、本体１０の天面１０ａの厚さの２倍弱程度であり、また断熱壁４３の厚さは、本体１０の天面１０ａの厚さよりも少し薄い程度である。ただし前面の断熱壁４３ａは、他の３面よりも薄く形成されている。
【００１７】
断熱壁４３の下方領域には、蓄冷ボックス４５が配されている。この蓄冷ボックス４５はステンレス鋼板製であって、図８及び図９に示すように、上記した出入口３０よりも一回り小さい平面形状で、かつアイスコート缶Ａの背丈よりも少し小さい深さを持った箱形をなし、上下両面が開口されている。四方の周面のうちの前面を除いた三面には、スリット状の通気孔４６が形成されている。蓄冷ボックス４５の内部は、同様に通気孔４６が形成された仕切板４７で３つの部屋４８に仕切られ、各部屋４８にそれぞれ、後記するようにアイスコート缶Ａが入れられるようになっている。
【００１８】
蓄冷ボックス４５の上面開口にはフランジ４９が形成されている一方、上記した断熱壁４３のうちの前後の面における下縁の全幅に沿って、アングル材からなる係止具５１が、ねじ止めあるいは溶接によって取り付けられている。そして蓄冷ボックス４５は、図７に示すように、天面１０ａの出入口３０と断熱壁４３内を通って冷凍室１１内に落とし込まれ、図８に示すように、前後のフランジ４９を対応する係止具５１に引っ掛けて、首吊り状態で支持されている。
【００１９】
一方、断熱壁４３で囲まれた領域の底部に配される底板５３が備えられている。この底板５３も同じくステンレス鋼板製であって、図９に示すように、上記したアイスコート缶Ａの上端側の外周を嵌合可能な方形の貫通孔５４が、合計３個開口されている。この底板５３が、蓄冷ボックス４５を落とし込んだ後に、断熱壁４３で囲まれた領域の底部に入れられ、図８に示すように、前後の端縁が蓄冷ボックス４５の前後のフランジ４９に受けられた状態で、同領域の底部に張られた状態となる。なお、上記の説明から明らかなように、蓄冷ボックス４５と底板５３とは、それぞれに着脱可能である。
【００２０】
蓄冷ボックス４５の垂下端の少し下方位置には、棚板５６が張られるようになっている。棚板５６は左右２枚で１組をなし、図５に示すように、冷凍室１１の平断面のほぼ全域にわたって張られるようになっている。各棚板５６はステンレス鋼板製で、浅皿を伏せたような形状に形成され、その表面全面には、多数の円形のパンチ孔５７が開口されている。各棚板５６は、冷凍室１１の壁面や、前面の出入口１３の仕切壁１３ａに設けられた棚受金５８で周縁を受けられることにより、上記したように、蓄冷ボックス４５の下端よりも少し下方の高さ位置において、冷凍室１１のほぼ全平断面にわたるようにして張られている。
【００２１】
この状態から図８及び図１０に示すように、アイスコート缶Ａが天面１０ａの出入口３０から断熱壁４３で囲まれた領域を通り、さらに底板５３の貫通孔５４を通って蓄冷ボックス４５の対応する部屋４８内に落とし込まれる。アイスコート缶Ａは、図８の鎖線で示すように、棚板５６の上に載って受けられ、アイスコート缶Ａの上端は、底板５３の貫通孔５４内に嵌まりつつその上方に臨む。  
この状態において、出入口３０の下方には、周囲を断熱壁４３で囲まれ、かつ底部を底板５３並びにアイスコート缶Ａ自身で閉じられることによって、冷凍室１１からほぼ仕切られた状態の自然対流室６０が形成される。この自然対流室６０では、冷凍室１１内を強制対流される冷気の影響を受けることなく、ほぼ無風状態となる。  
言い換えるとアイスコート缶Ａは、スライド扉３１から深さＱだけ自然対流室６０の底部に落とし込まれ、下部側の大半が冷凍室１１内に突入した状態とされる。
【００２２】
冷凍室１１内における棚板５６よりも下の空間は、予備のアイスコート缶Ａの収納空間６２とされる。そのため、別の蓄冷ボックス６４が備えられている。この蓄冷ボックス６４もステンレス鋼板製であって、アイスコート缶Ａが前後２個並んで収容可能な上面開放の箱形に形成され、前後両面に取手６５が設けられている。  
収納空間６２すなわち冷凍室１１の底面上には、パンチ孔６８が開口されたスノコ６７が敷かれており、上記の蓄冷ボックス６４がスノコ６７上に出し入れ可能に載置されて収納されるようになっている。
【００２３】
また、吹出口２５から吹き出された冷気を、上方の蓄冷ボックス４５側に向けて効率良く流通させるべく案内板が２枚備えられている。第１案内板７１は、図５及び図１１に示すように、冷凍室１１の天井面から蓄冷ボックス４５の下端までの高さ領域において、冷凍室１１の左奥の隅から蓄冷ボックス４５に向けて斜めに延出され、そののち蓄冷ボックス４５の後面側に沿うように延出されて張られており、蓄冷ボックス４５が突入した位置の奥側は、冷気を流しても無駄であるから、それを回避するためである。  
第２案内板７２は、図１１に示すように、冷凍室１１の左側面における吹出口２５の上縁の位置から右斜め下に延出され、図１に示すように、延出端が断熱壁４３の左外側面の下縁位置に達している。なお、第１案内板７１の奥縁側には切り欠き部７１ａが設けられて、第２案内板７２の延出端が嵌っている。蓄冷ボックス４５が突入した部分よりも上方の領域には、冷気を流しても無駄であるから、それを回避するためである。
【００２４】
次に、本実施形態の作用を説明する。  
アイスクリームを保冷するには、図８に示すように、スライド扉３１を開放したのち、アイスコート缶Ａを出入口３０、自然対流室６０さらにはその底板５３の貫通孔５４を通して、蓄冷ボックス４５の対応する部屋４８に入れ、棚板５６で受ける。これにより、アイスコート缶Ａは下側の大部分が蓄冷ボックス４５内に突入し、上端部が自然対流室６０の底部に臨んだ状態とされる。そののち、図６に示すようにスライド扉３１が閉じられる。
【００２５】
この状態で、冷凍ユニット２０（圧縮機２１）並びに庫内ファン１９が駆動されると、既述したように、吸込口２４から庫内空気が吸引されて、蒸発器１８を通過する間に熱交換されて冷気が生成され、この冷気が吹出口２５から吹き出される。この吹き出された冷気は、第１と第２の案内板７１，７２で案内されつつ、主に蓄冷ボックス４５の後面や左側面の後部側に当てられ、周面や仕切板４７の通気孔４６を通りつつ蓄冷ボックス４５内を流れ、そこに突入されたアイスコート缶Ａ、ひいてはその中に収容されたアイスクリームを冷却する。  
さらに冷気は、棚板５６のパンチ孔５７を通して下部の収納空間６２に流れ、別の蓄冷ボックス６４に収容された予備のアイスコート缶Ａを冷却する。これらの冷却に供したあとの庫内空気は、上記したように吸込口２４から吸い込まれ、冷気に変換されたのち再び吹出口２５から吹き出される。これにより、使用中のアイスコート缶Ａ内のアイスクリーム、さらには予備のアイスコート缶Ａ内のアイスクリームが適温（−１５℃程度）に冷却保持される。
【００２６】
アイスクリームを調製する場合は、図３に示すようにスライド扉３１を開けたのち、蓋Ｂを開けてアイスコート缶Ａ内からアイスクリームを必要量だけ取り出して皿等に載せ、作業台３７上において、ホテルパンＣから取り出した適宜の食材等によってトッピングを施し、そののち客に提供される。  
調製が終わったら、アイスコート缶Ａの蓋Ｂを閉め、スライド扉３１を手前に引いて閉じる。
【００２７】
アイスコート缶Ａ内のアイスクリームを使い切ったら、スライド扉３１を開けて空になったアイスコート缶Ａを外部に取り出す一方、前面の断熱扉１４を開けて予備用の蓄冷ボックス６４を引き出し、同種類のアイスクリームが入った予備のアイスコート缶Ａを取り出し、上記した手順によって、上方の蓄冷ボックス４５の対応する部屋４８内に入れ替えればよい。
【００２８】
なお、アイスコート缶Ａの入れ替えを行う場合のように、前面の断熱扉１４が開けられると、外気が冷凍室１１内に入り込む。しかしながら、収納空間６２に残された予備のアイスコート缶Ａは、上面開放の蓄冷ボックス６４内に入れられていて、外気が直接に当たることから遮られるし、また冷気に囲まれて収容されていることから、その温度上昇は最小限に留められる。一方、上側の蓄冷ボックス４５内に残された使用中のアイスコート缶Ａについても、蓄冷ボックス４５の前面には通気孔４６が設けられていないことで、外気が直接に当たることから遮られ、また他の面に通気孔４６があるとはいえども、箱内にあって冷気に囲まれた状態にあるから、これも温度上昇は最小限に留められる。  
また、冷気の強制対流が停止される除霜運転のときにも、アイスコート缶Ａは蓄冷ボックス４５，６４内で冷気に囲まれた状態にあるから、同様に簡単に温度上昇することが避けられる。
【００２９】
以上説明したように本実施形態によれば、以下のような数々の利点を得ることができる。  
蓄冷ボックス４５内にアイスコート缶Ａが収容された場合は、天面１０ａの出入口３０と冷凍室１１との間に無風の自然対流室６０が形成され、この自然対流室６０が言わば緩衝領域として機能して、冷凍室１１内で強制対流されている冷気が出入口３０、さらには天板２７の窓孔２８から洩れることが無くなる。その結果、冷凍室１１内すなわちアイスコート缶Ａが効率良く冷却でき、冷凍ユニット２０（圧縮機２１）の運転率を減少できて、ランニングコストの低減を図ることができる。また駆動される圧縮機２１、庫内ファン１９等の耐久性も向上させることができる。もちろんアイスコート缶Ａは、その大部分が蓄冷ボックス４５に収められつつ冷凍室１１内に突入しているのであるから、内部のアイスクリームを適正温度に保冷でき、したがってその品質も保証される。
【００３０】
また、アイスクリームを取り出すべくスライド扉３１を開けたときにも、自然対流室６０があるために、冷凍室１１への外気の熱的影響は小さく留められる。したがって、繁忙時間帯のようにスライド扉３１を頻繁に開閉したり、長時間開け放しとしても、アイスクリームを高品質に維持することができる。  
さらに、強制対流される冷気がスライド扉３１に直接触れないから、レール４０等で凍結のおそれが無くて、スライド扉３１のスムーズな開閉が保証され、また破損を招くことも防がれる。それに付随して凍結防止用にヒータを設けることが不要にできるから、このこともランニングコストの低減に有利となる。
【００３１】
自然対流室６０の回りには、厚肉の断熱壁４３が配されて冷凍室１１との間が仕切られており、すなわち高い断熱性を保有しているから、冷凍室１１内の冷却効率がより高められ、またスライド扉３１を開いた場合の冷凍室１１への外気の熱的影響もより小さく留める。さらに、断熱性が高いことで、自然対流室６０の内面側に、結露や凍結が生じることが防止され、アイスコート缶Ａ内に結露水が浸入することが無くなり、また、洗浄等を行うべく底板５３や蓄冷ボックス４５を着脱する場合も簡単に行うことができる。
【００３２】
また、アイスコート缶Ａを出し入れしたり、アイスクリームをアイスコート缶Ａから取り出したりする場合には、アイスコート缶Ａがこれを貫通した底板５３の貫通孔５４の口縁に当たったり押したりする可能性があるが、この底板５３を支持した断熱壁４３が厚肉で高強度に形成されているから、底板５３を強固にかつ安定して支持することができ、多少乱暴にアイスコート缶Ａを取り扱ったとしても、底板５３が外れたり損傷を受けることが回避される。  
さらに、吹出口２５の近傍には案内板７１，７２が配設されて、吹き出された冷気を、アイスコート缶Ａが入れられた蓄冷ボックス４５に向けて無駄なく導くようにしたから、アイスコート缶Ａ、ひいてはその中のアイスクリームをより効率良く保冷することができる。
【００３３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）上記実施形態では、自然対流室の周囲を断熱壁で囲った場合を例示したが、単に板材で囲ったものであってもよく、そのようなものも本発明の技術的範囲に含まれる。  
（２）天面の出入口を開閉する扉はスライド形式に限らず、例えば揺動開閉式であったり、一側縁に折り畳む等の他の型式であってもよい。  
（３）トッピングの作業台は必ずしも設ける必要はなく、すなわちアイスクリームをアイスコート缶から掬い取って、コーンや紙カップに入れて販売に供する場合のアイスクリーム保冷庫にも適用可能である。  
（４）さらに本発明は、アイスクリームに限らず、シャーベット、ヨーグルト等の冷菓や、他の保冷物の保冷庫、要は、保冷物を収容した保冷容器を天面の開口部側から収容して保冷する型式の保冷庫全般に広く適用することが可能である。
【図面の簡単な説明】
【００３４】
【図１】本発明の一実施形態に係る保冷庫の正面図
【図２】同斜視図
【図３】スライド扉を開けた状態の斜視図
【図４】同平面図
【図５】保冷庫の平断面図
【図６】同縦断面図
【図７】自然対流室の構造を示す分解縦断面図
【図８】アイスコート缶の収容動作を示す縦断面図
【図９】自然対流室の構造を示す一部切欠分解斜視図
【図１０】アイスコート缶の収容動作等を示す斜視図
【図１１】案内板の配設構造を示す斜視図
【図１２】従来例の縦断面図
【符号の説明】
【００３５】
Ａ…アイスコート缶（保冷容器）  １０…保冷庫本体  １０ａ…天面  １１…冷凍室（冷却室）  １８…蒸発器  ２０…冷凍ユニット  ２４…吸込口  ２５…吹出口  ３０…出入口  ３１…スライド扉（開閉扉）  ４３，４３ａ…断熱壁  ４５…蓄冷ボックス  ４６…通気孔  ５３…底板  ５４…貫通孔  ５６…棚板  ６０…自然対流室  ７１，７２…案内板
【図１】
2005195188.tif 000003
【図２】
2005195188.tif 000004
【図３】
2005195188.tif 000005
【図４】
2005195188.tif 000006
【図５】
2005195188.tif 000007
【図６】
2005195188.tif 000008
【図７】
2005195188.tif 000009
【図８】
2005195188.tif 000010
【図９】
2005195188.tif 000011
【図１０】
2005195188.tif 000012
【図１１】
2005195188.tif 000013
【図１２】
2005195188.tif 000014